(57)【要約】電気通信ネットワークは、無線基地局装置ノード（２８）とパケット制御ユニット（ＰＣＵ）２５を含む。無線基地局装置ノード（２８）は、例えば、無線周波数通信用のセル（Ｃ）に無線伝送資源を提供するサービスを行う。パケット制御ユニット（ＰＣＵ）２５は、パケット交換接続で処理されるそれぞれのＩＰ音声（ＶｏＩＰ）呼に無線伝送資源を配分するサービスを行う。さらに、最低１個のＩＰ音声呼について、パケット制御ユニット（ＰＣＵ）２５は、最低１個のＩＰ音声呼を、ある接続タイプから別の接続タイプへ、例えば、パケット交換接続から回線交換接続へ、変更するべきかを判定するように構成される。図示の、事例的な、限定を目的としない実施形態では、パケット制御ユニット（ＰＣＵ）２５は、最低１個のＩＰ音声呼をパケット交換接続から回線交換接続へ変更するべきかを、最低１個のＩＰ音声呼を含むパケットの通話品質を通信ネットワーク中で監視することにより、判定する。監視に応じて、基地局コントローラ・ノードは、最低１個のＩＰ音声呼をパケット交換接続から回線交換接続へ変更することを、選択的に要求するように構成される。
2008543166.tif 000002
【特許請求の範囲】
【請求項１】
通信ネットワークを運用する方法であって、
セル（Ｃ）の無線伝送資源をパケット交換接続で処理されるそれぞれのＩＰ音声（ＶｏＩＰ）呼への割当てを含み、
最低１個のＩＰ音声呼の品質を監視し、
前記監視に応じて、前記最低１個のＩＰ音声呼をパケット交換接続から回線交換接続へ変更することを要求することを特徴とする方法。
【請求項２】
前記最低１個のＩＰ音声呼の品質を監視する前記工程が、前記通信ネットワーク中で前記最低１個のＩＰ音声呼を含むパケットの伝送速度の監視を含む請求項１に記載の方法。
【請求項３】
品質を監視する前記工程が、前記最低１個のＩＰ音声呼を含むパケットのバッファ（８２）中の伝送速度の監視をさらに含む請求項２に記載の方法。
【請求項４】
前記監視が、前記バッファ（８２）の使用量が所定の閾値を超過した時点の判定を含む請求項３に記載の方法。
【請求項５】
前記監視が、前記バッファ（８２）の使用量の変動が所定の閾値を超過した時点の判定を含む請求項３に記載の方法。
【請求項６】
通信ネットワークを運用する方法であって、
セル（Ｃ）の無線伝送資源をパケット交換接続で処理されるそれぞれのＩＰ音声（ＶｏＩＰ）呼への割当てを含み、
最低１個のＩＰ音声呼について、該最低１個のＩＰ音声呼を含むパケットのバッファ（８２）の使用レベルを監視し、
前記監視に応じて、前記最低１個のＩＰ音声呼をパケット交換接続から回線交換接続へ変更することを選択的に要求することを特徴とする方法。
【請求項７】
前記使用レベルの前記監視が、前記バッファ（８２）の使用量が所定の閾値を超過した時点の判定を含む請求項６に記載の方法。
【請求項８】
前記使用レベルの前記監視が、前記バッファ（８２）の使用量の変動が所定の閾値を超過した時点の判定を含む請求項６に記載の方法。
【請求項９】
前記バッファ（８２）が、論理リンク制御レイヤ（ＬＬＣ）バッファである請求項３または６に記載の方法。
【請求項１０】
前記バッファ（８２）が、基地局コントローラ・ノードの無線リンク制御（ＲＬＣ）バッファである請求項３または６に記載の方法。
【請求項１１】
前記バッファ（８２）が、パケット制御ユニットのバッファである請求項３または６に記載の方法。
【請求項１２】
前記最低１個のＩＰ音声呼をパケット交換接続から回線交換接続へ変更することを要求する前記工程が、該呼に参加する移動機に、パケット交換から回線交換へのハンドオーバを実行し、およびそれにより該呼を回線交換呼として再配属することを要求することを含む請求項１または６に記載の方法。
【請求項１３】
前記ＩＰ音声（ＶｏＩＰ）呼が、ＥＤＧＥ  ＩＰ音声パケット・フローである、請求項１または６に記載の方法。
【請求項１４】
品質を監視する前記工程が、前記最低１個のＩＰ音声呼の損失または損傷フレームの所定数の監視を含む請求項１に記載の方法。
【請求項１５】
電気通信ネットワークであって、
無線伝送資源を無線周波数通信のためのセル(Ｃ)に提供する無線基地局装置ノード（２８）、および
パケット交換接続で処理されるそれぞれのＩＰ音声呼に前記無線伝送資源を配分するパケット制御ユニット（２５）を含み、
該パケット制御ユニット（２５）が、前記電気通信ネットワーク中で前記最低１個のＩＰ音声呼を監視し、および、該監視に応じて前記最低１個のＩＰ音声呼をパケット交換接続から回線交換接続へ変更するよう選択的に要求するように構成されることを特徴とする電気通信ネットワーク。
【請求項１６】
前記パケット制御ユニット（２５）がバッファ（８２）を含み、そこにおいて通話品質を監視するために、該パケット制御ユニット（２５）が、前記最低１個のＩＰ音声呼についてＩＰ音声パケット・フロー中の損失または損傷フレームの数を監視するように構成された請求項１５に記載の装置。
【請求項１７】
前記パケット制御ユニット（２５）がバッファ（８２）を含み、そこにおいて通話品質を監視するために、該パケット制御ユニット（２５）が、前記最低１個のＩＰ音声呼を含むパケットの前記バッファ（８２）中の伝送速度を監視するように構成された請求項１５に記載の装置。
【請求項１８】
前記パケット制御ユニット（２５）が、前記バッファ（８２）の使用量が所定の閾値を超過した時点を判定するように構成された請求項１７に記載の装置。
【請求項１９】
前記パケット制御ユニット（２５）が、前記バッファ（８２）の使用量の変動が所定の閾値を超過した時点を判定するように構成された請求項１７に記載の装置。
【請求項２０】
電気通信ネットワークであって、
無線伝送資源を無線周波数通信のためのセル(Ｃ)に提供する無線基地局装置ノード（２８）、および
パケット交換接続で処理されるそれぞれのＩＰ音声呼に前記無線伝送資源を配分するパケット制御ユニット（２５）を含み、
該パケット制御ユニット（２５）が、前記最低１個のＩＰ音声呼を含むパケットのバッファ（８２）の使用レベルを監視し、および、該監視に応じて前記最低１個のＩＰ音声呼をパケット交換接続から回線交換接続へ変更することを選択的に要求するように構成されることを特徴とする電気通信ネットワーク。
【請求項２１】
前記パケット制御ユニット（２５）が、前記バッファ（８２）の使用量が所定の閾値を超過した時点を判定するように構成された請求項２０に記載の装置。
【請求項２２】
前記パケット制御ユニット（２５）が、前記バッファ（８２）の使用量の変動が所定の閾値を超過した時点を判定するように構成された請求項２０に記載の装置。
【請求項２３】
前記バッファ（８２）が論理リンク制御レイヤ（ＬＬＣ）バッファである請求項１７または２０に記載の装置。
【請求項２４】
前記バッファ（８２）が無線リンク制御（ＲＬＣ）バッファである請求項１７または２０に記載の装置。
【請求項２５】
前記ＩＰ音声呼がＥＤＧＥ  ＩＰ音声パケット・フローである請求項１５または２０に記載の装置。
【請求項２６】
前記パケット制御ユニット（２５）が、少なくとも部分的には基地局コントローラ・ノードに設置された請求項１５または２０に記載の装置。
【請求項２７】
前記パケット制御ユニット（２５）が、少なくとも部分的には基地局ノードに設置された請求項１５または２０に記載の装置。
【請求項２８】
前記パケット制御ユニット（２５）が、少なくとも部分的にはＧＰＲＳサポート・ノードに設置された請求項１５または２０に記載の装置。
【発明の詳細な説明】
【技術分野】
【０００１】
本発明は電気通信に関し、より詳細には、ＩＰ音声（Voice over Internet Protocol、ＶｏＩＰ）に関する。
【背景技術】
【０００２】
移動通信の世界でのＩＰ音声は、通常の移動電話呼用に、ＩＰ（Internet Protocol、インターネット・プロトコル）パケットを転送するパケット交換（packet switched、ＰＳ）サービスを使用することを意味する。ここで、ＩＰパケットは、例えば、順応マルチレート・コーデック（Adaptive Multi-Rate code、ＡＭＲ）通話フレームを含む。回線交換ネットワークでは、伝送開始前にネットワーク資源が送信側から受信側まで固定されて、「回線」を形成する。その資源は全伝送期間を通してその回線専用となり、全てのメッセージ・フローが同じ経路を通る。パケット交換ネットワークでは、メッセージはパケットへと分割され、その各々が宛先への別の経路を通ってもよく、宛先においてパケットが元のメッセージに再組立てされる。
【０００３】
ＩＰ音声に使用されるパケット交換（ＰＳ）サービスは、例えば、ＧＰＲＳ（General Packet Radio Service、汎用パケット無線サービス）、ＥＤＧＥ（Enhanced Data Rates for GSM Evolution）、またはＷＣＤＭＡ（Wideband Code Division Multiple Access、広帯域符号分割多元接続）であってよい。例に上げたこれらのサービスは、偶々、いずれも元は欧州用に開発された第２世代（「２Ｇ」）デジタル無線接続技術であるＧＳＭ（Global System for Mobile communication）上で構築される。ＧＳＭは、２．５ＧではＧＰＲＳ等の技術を含むよう強化された。第３世代（３Ｇ）は、国際電気通信連合（International Telecommunication Union、ＩＴＵ）のＩＭＴ−２０００系が対象とする移動電話技術を含む。３Ｇパートナーシップ・プロジェクト（Third Generation Partnership Project、３ＧＰＰ）は、ＩＭＴ−２０００のＷＣＤＭＡベースの構成要素の標準化を目指して活動中の、国際標準化団体、通信事業者、および製造供給事業者からなるグループである。
【０００４】
ＥＤＧＥ（すなわち、Enhanced Data Rates for GSM Evolution）は、広帯域と言えるデータ速度を移動装置に提供する３Ｇ技術である。ＥＤＧＥは、利用者がインターネットに接続して、デジタル動画、ウェブページ、および写真を含むデータを、通常のＧＳＭ／ＧＰＲＳネットワークで可能なよりも３倍速く送受信できるようにする。ＥＤＧＥは、ＧＳＭ通信事業者が、より高速な移動データ接続を提供し、より多くの移動データ顧客にサービスし、さらに音声トラヒックを収容できるまでにＧＳＭネットワークを容量制限から解放することを可能にする。
【０００５】
ＥＤＧＥはＧＰＲＳの３倍のデータ容量を提供する。ＥＤＧＥを使用することで、通信事業者はＧＰＲＳより３倍の加入者を処理できる。または、加入者当りのデータ速度を３倍にするか、音声通信に余分の容量を追加することができる。ＥＤＧＥは、ＧＳＭネットワークと同じＴＤＭＡ（Time Division Multiple Access、時分割多元接続）フレーム構造、論理チャンネルおよび２００ｋＨｚ搬送波帯域を使用しており、このため、既存のセル計画には手を着けなくてよい。
【０００６】
ＥＤＧＥ技術では、無線基地局装置(Base Transceiver Station、ＢＴＳ）が移動機（例えば、携帯電話機、移動通信終端付きのラップトップ等のコンピュータを含む移動端末、等）と通信する。通常、無線基地局装置（ＢＴＳ）は複数の送受信機（ＴＲＸ）を持ち、各送受信機は複数のタイムスロットを持つ。送受信機（ＴＲＸ）の中には、「ホッピング」、例えば、周波数ホッピング、が可能なものがあってもよい。周波数ホッピングは、時間の関数としてランダムではあるが予測可能な順序で、広い周波数帯域にわたって周波数から周波数へと「動き回る（ホップする）」狭帯域搬送波信号でもって、データ信号を変調するプロセスである。
【発明の開示】
【発明が解決しようとする課題】
【０００７】
パケット交換（ＰＳ）の伝送速度は、多くの事態の結果として、良好なＩＰ音声品質に要求されるより低下することがある。そのような１つの事態は、搬送波対干渉波比（Ｃ／Ｉ）における、タイムスロットを追加しても（そうできたとして）高いビット誤り率を補償し得ないような低レベルへの落ち込みまたは低下である。もう１つの事態は、ある瞬間、あるセルについて、ＰＳデータへの容量割り当てが不十分な場合に発生し、その結果「ジッタ」が生じ、伝送速度が過度に低下する。第３の事態は、ＥＤＧＥ能力のない送受信機（ＴＲＸ）へのセルの切り替えであり、ＧＰＲＳへのシフトダウンという結果になる。第４の事態は、データ・ネットワークまたはＩＰマルチメディア・サブシステム（ＩＭＳ）ネットワークの限界によるものである。第５の事態は、無線基地局（ＲＢＳ）サイトへの伝送が、現実の伝送での閉塞リスクが所定の計算値となる、統計的な（パケットベースの）手法で実行されたときに発生する。
【０００８】
これらの全ての事態で、ＩＰ音声呼を継続することはできても、通話品質は望みどおり良好にとはいかないであろう。現在のところ、ＩＭＳシステム（ダウンリンク）および電話機のＩＰ音声クライアント（アップリンク）は、通話品質の程度如何に関わらず、聞き手側の通話品質が粗悪な結果になろうとも、単に通話データを送信し続けるだけである。
【課題を解決するための手段】
【０００９】
通信ネットワークは、無線基地局装置ノードおよびパケット制御ユニットを含む。無線基地局装置ノードは、例えば、無線周波数通信用のセルに無線伝送資源を提供するサービスを行う。パケット制御ユニットは、パケット交換接続で処理されるそれぞれのＩＰ音声呼に無線伝送資源を配分するサービスを行う。さらに、最低１個のＩＰ音声呼について、パケット制御ユニットは、最低１個のＩＰ音声呼を、ある接続タイプから別の接続タイプへ、例えば、パケット交換接続から回線交換接続へ、変更するべきかを判定するように構成される。
【００１０】
説明用の、事例的な、限定を目的としない実施形態では、パケット制御ユニットは、最低１個のＩＰ音声呼をパケット交換接続から回線交換接続へ変更するべきかを、通話品質を監視することにより判定する。監視に応じて、パケット制御ユニットは、最低１個のＩＰ音声呼をパケット交換接続から回線交換接続へ変更することを要求するように構成される。
【００１１】
ある動作モードでは、ＩＰ音声呼のＩＰ音声パケット・フローの通話品質を監視するために、パケット制御ユニットは、そのＩＰ音声呼を含むパケットの伝送速度を通信ネットワーク中で監視する。ある実装例では、パケット制御ユニットは、バッファを含み、最低１個のＩＰ音声呼を含むパケットのバッファ中の伝送速度を監視するように構成される。例えば、パケット制御ユニットは、バッファの使用量が所定の閾値を超過した時点を判定することにより、伝送速度を監視できる。別案として、パケット制御ユニットは、バッファ使用量の変動が所定の閾値（例えば、バッファ満杯）を超過した時点を判定することにより、伝送速度を監視できる。
【００１２】
ある実装例では、パケット制御ユニットが監視するバッファが論理リンク制御レイヤ（ＬＬＣ）バッファであってもよく、ＩＰ音声呼がＥＤＧＥ  ＩＰ音声パケット・フローであってもよい。
【００１３】
別の動作モードでは、ＩＰ音声呼のＩＰ音声パケット・フローの通話品質を監視するために、パケット制御ユニットは、ＩＰ音声通話を運ぶ損失または損傷フレームを監視する。損失または損傷フレームの数が所定の制限を超過すると、パケット制御ユニットは、最低１個のＩＰ音声呼をパケット交換接続から回線交換接続へ変更するよう要求する。
【００１４】
パケット制御ユニットは、基地局制御（ＢＳＣ）ノード、基地局ノード、およびＧＰＲＳサポート・ノード（GPRS Support Node、ＧＳＮ）等の、任意の適当なネットワーク・ノードにその全部でもまたは一部をでも設置可能である。
【００１５】
最低１個のＩＰ音声呼をパケット交換接続から回線交換接続へ変更することを要求することは、その呼に参加している移動機が、パケット交換から回線交換への引き継ぎを実行し、それによりその呼を回線交換呼として再配属するよう要求することを含んでもよい。
【発明を実施するための最良の形態】
【００１６】
本発明の、上述のおよびそれ以外の目的、特徴、および利点は、添付の図面に図示された好ましい実施形態についての、以下のより詳細な説明から明らかになろう。図面中では、参照文字は種々の図を通して同じ部位を指すものとする。図面は、必ずしも実際の大きさに沿うものではなく、本発明の原理を描くことに重点を置いたものである。
【００１７】
以下の記述では、本発明を完全に理解できるよう、特定のアーキテクチャ、インタフェース、技術等の具体的な詳細を示すが、その目的は説明にあって限定することにはない。しかしながら、本発明がこれらの具体的な詳細とは別のその他の実施形態で実施されてもよいことは、当業者には明白であろう。すなわち、当業者は、本明細書には明示的に記述されたり示されたりはしないが、本発明の原理を具体化したりその精神や範囲に含まれる、多様な構成を考案できよう。ある例では、既知の装置、回路、および方法の詳細な記述は、不必要な詳細によって本発明の記述がぼやけることがないよう省略される。本発明の原理、特徴、および実施形態、さらにその具体的な事例についての本明細書中の全ての言明は、それに構造的および機能的の両面の等価物をも包含することを意図するものである。さらに、その等価物としては、現に知られている等価物のみならず将来開発される等価物の両者、すなわち、構造如何によらず同一機能を実行するいかなる開発された要素をも含むことを意図するものである。
【００１８】
したがって、例えば、本明細書中のブロック図は本発明の技術の原理を具体化する図示回路の概念図を表現し得ることが当業者には理解されよう。同様に、いずれのフローチャート、状態遷移図、疑似コード等々も、コンピュータ可読媒体中でその本質を表現される種々のプロセスを表現しており、したがって、そのようなコンピュータまたはプロセッサが明示されているかに関わらず、コンピュータまたはプロセッサによって実行されてよい種々のプロセスを表現するものと理解されよう。
【００１９】
「プロセッサ」または「コントローラ」とラベル付けされた機能ブロックを含む種々の構成要素の機能は、専用ハードウェアのみならず、ソフトウェアを実行可能なハードウェアと適当なソフトウェアの使用を通して提供されてもよい。プロセッサによって提供される場合、その機能は単一の専用プロセッサによっても、単一の共用プロセッサによっても、または複数の個別的なプロセッサ（それらのあるものが共用されてもまたは分散していてもよい）によって提供されてよい。さらに、用語「プロセッサ」または「コントローラ」を明示的に使用しても、ソフトウェアを実行可能なハードウェアだけを指すと理解されるべきでなく、断りのない限り、デジタル信号プロセッサ(ＤＳＰ)ハードウェア、ソフトウェアを格納するための読取専用メモリ（ＲＯＭ）、ランダム・アクセス・メモリ（ＲＡＭ）、および非揮発性記憶装置、を含んでもよい。
【００２０】
図１は、一般的なネットワークの一部を示しており、そこには、パケット制御ユニット（ＰＣＵ）２５の一部および無線基地局装置（ＢＴＳ）２８の一部と、それのみならず、無線基地局装置（ＢＴＳ）２８とのエア・インタフェース３２を介する無線周波数通信の移動機（ＭＳ）３０の一部とが含まれる。移動機（ＭＳ）３０は、送受信機３３およびデータ処理および制御ユニット３４を含む。データ処理および制御ユニット３４に含まれるのは、ＩＰ音声能力、例えば、ＩＰ音声アプリケーション３６を提供する機能である。当業者は、移動機（ＭＳ）３０およびデータ処理および制御ユニット３４は、多数のその他の機能およびアプリケーション、さらには図示されていない画面、キーパッド等の入出力装置を通常含むものと認めるだろう。
【００２１】
無線基地局装置（ＢＴＳ）２８は、セル４０等の、１つ以上のセルにサービスする。サービス中のセル４０において、無線基地局装置（ＢＴＳ）２８は無線伝送資源のプール５０を提供する。図１の実施形態例に概念化されているように、プール５０はセル４０中の移動機と通信するための複数組５２１−５２ｎの無線伝送資源を含む。
【００２２】
図１に図示した事例的な、限定を目的としない実装では、セルの無線伝送資源の少なくとも１組は、非ホッピング無線伝送資源の組である。例えば、図１の実装では、組５２１は非ホッピング無線伝送資源の組である。５２２−５２ｎ等のセルのその他の無線伝送資源の組は、ホッピング無線伝送資源の組である。図１の実施形態の実装例では、非ホッピング無線伝送資源の組５２１は、非ホッピング送受信機５４１により提供される無線伝送資源を含む。非ホッピング送受信機５４１により提供される無線伝送資源は、非ホッピング送受信機５４１が動作する周波数上のタイムスロット５６１−１から５６１−ｊを含む。同様に、ホッピング無線伝送資源の組５２２−５２ｎは、それぞれホッピング送受信機５４２−５４ｎによって提供される無線伝送資源を含み、ホッピング送受信機によって提供される無線伝送資源は、ホッピング送受信機が動作するそれぞれの周波数上のタイムスロットを含む。例えば、ホッピング送受信機５４２によって提供される無線伝送資源はタイムスロット５６２−１から５６２−ｊを含み、ホッピング送受信機５４３によって提供される無線伝送資源はタイムスロット５６３−１から５６３−ｊを含む等々である。本明細書に記述される技術は、ホッピング無線伝送資源の組の具体的な数の使用を必要としない（すなわち、実際には、何であってもよい）ことを理解されたい。
【００２３】
先述の実装例において、オプションとして非ホッピング無線伝送資源の組５２１の最低１個の無線伝送資源は、ブロードキャスト制御チャンネル（ＢＣＣＨ）用に（または、その他の標準化されたもしくは共通のブロードキャスト・チャンネル用に、またはその両者用に）使用してよく、一方、非ホッピング無線伝送資源の組５２１のその他の無線伝送資源は、ＩＰ音声パケット・フローを含む呼用に使用してよい。例えば、非ホッピング無線伝送資源の組５２１の最低１つのタイムスロット（例えばタイムスロット５６１−１等）はＢＣＣＨ用に使用してよく、非ホッピング無線伝送資源の組５２１のその他のタイムスロット（例えば、タイムスロット５６１−２から５６１−ｊ等）は、ＩＰ音声パケット・フローを含む呼用に使用してよい。
【００２４】
パケット制御ユニット（ＰＣＵ）２５は資源割当て論理を含み、これは、（例えば）資源割当てコントローラ６０によって実装されてよい。実施形態では、資源割当てコントローラ６０は呼をスケジュールし、その呼は図２Ｂの方法またはやり方でＩＰ音声パケット・フローの形式をとる。このように、パケット制御ユニット（ＰＣＵ）２５は、資源割当てコントローラ６０を使用して、無線伝送資源をそれぞれのパケット交換接続で処理されるＩＰ音声呼に割当てるサービスを行う。
【００２５】
資源の割当ておよび配分のために、資源割当てコントローラ６０は、資源メモリ６１、または無線基地局装置（ＢＴＳ）２８によって提供される無線伝送資源の組５２の配分または割当ての経過を追跡するためのその他のメカニズムを含んでよい。資源メモリ６１は、無線伝送資源の組５２のマップまたはイメージに似たものであってよい。
【００２６】
さらに、パケット制御ユニット（ＰＣＵ）２５は、パケット制御ユニット（ＰＣＵ）２５によって処理される最低１個のＩＰ音声呼について、最低１個のＩＰ音声呼をパケット交換接続から回線交換接続へ変更するべきかを判定するように配置および構成される。より詳細には、図１の実施形態例において、パケット制御ユニット（ＰＣＵ）２５は、最低１個のＩＰ音声呼の通話品質を通信ネットワーク中で監視することにより、最低１個のＩＰ音声呼をパケット交換接続から回線交換接続へ変更するべきかを判定する。監視に応じて、パケット制御ユニット（ＰＣＵ）２５は、最低１つのＩＰ音声呼を第１の接続タイプ（例えばパケット交換接続）から第２の接続タイプ（例えば回線交換接続）へ変更するよう、選択的に要求するように構成される。
【００２７】
パケット制御ユニット（ＰＣＵ）２５は、最低１つの呼のためのバッファを含み、最低１個のＩＰ音声呼に配分されたパケットの通話品質を監視するよう構成される。したがって、図１に図示した限定を目的としない実施形態において、パケット制御ユニット（ＰＣＵ）２５はさらに、パケット・バッファのプール７０、通話品質モニタ７２、および接続コントローラ７４を含む。
【００２８】
パケット・バッファのプール７０は、オプションとして、もし希望するならば、バッファの組８２として構成または概念化してよい。ここで、各組は、無線基地局装置（ＢＴＳ）２８によって提供される無線伝送資源の組５２の１つに対応する。こうして、図１は、ｎ個のバッファの組、例えば、組８２１から組８２ｎを示す。各バッファの組８２は、複数個の個別的バッファ８６を含み、各バッファ８６は、個々の呼またはパケット・フロー用に使用される。図示の実装例では、各送受信機５４の各タイムスロットに対して別のバッファ８６が存在している。例えば、送受信機５４１のタイムスロット５６１−１から５６１−ｊに対応してバッファ８６１−１から８６１−ｊ、送受信機５４２のタイムスロット５６２−１から５６２−ｊに対応してバッファ８６２−１から８６２−ｊ、等々である。この実装例では、したがって、タイムスロット５６１−１で生起するＩＰ音声呼のパケットは、バッファ８６１−１を通って伝わる。パケット・フローが、それが伝送される際に通るバッファ８６に関連付けられる限り、バッファ８６がグループ化されたり、またはいかなる特別のやり方ででも関連付けられたりする必要のない別の実施形態もあることを理解されたい。
【００２９】
パケット・バッファのプール７０のバッファ８６は多様なやり方で実現または提供されてよい。各バッファ８６は単一のメモリ要素であっても装置であってもよい。別案として、複数個のバッファ８６が共用のメモリ要素または装置、例えば、半導体メモリ装置またはアレイ中で提供されてもよい。それは、番地付けされ、区分され、またはその他のやり方で複数個のバッファ８６に関するデータを格納したり読出したりするのに利用される。
【００３０】
図２Ａに示される実装例では、通話品質モニタは伝送速度モニタ７２−２の形をとり、これは、最低１つのＩＰ音声呼に配分されたバッファ中のパケットの伝送速度を監視するバッファ・モニタとして構成され、その監視は、例えばバッファの配分および、バッファの充填量または使用度のレベルを含む、占有度の経過を追跡するものである。例えば伝送速度モニタ７２（バッファ・モニタ７２とも言う）は、その時バッファに格納されているデータの、それぞれ先頭と末尾（最後）をなすメモリ位置を指示する先頭ポインタと末尾ポインタを持ってもよい。そのようなポインタを使用して、伝送速度モニタ７２−２は、不連続な時点での各バッファ中のデータの量または定量値の追跡および格納またはそのいずれかができる。
【００３１】
接続コントローラ７４は、呼を形成する個別の接続を管理する。したがって、接続コントローラ７４は、呼の接続タイプ、例えば回線交換かパケット交換かを実現する。ＩＰ音声呼については、（少なくとも最初は）接続コントローラ７４はパケット交換接続を設定するものとされる。ＩＰ音声呼にパケット交換接続が設定された後、そのＩＰ音声呼のダウンリンクのパケット・フローを形成するパケットが、バッファ８６（その呼のダウンリンク・バッファ）の適当な１つを経由して伝達され、そのＩＰ音声呼のアップリンクのパケット・フローを形成するパケットが、バッファ８６（その呼のアップリンク・バッファ）の適当な１つを経由して伝達される。
【００３２】
図２Ａの実装例では、パケット制御ユニット（ＰＣＵ）２５の伝送速度モニタ７２−２は、その呼用のバッファの使用量が所定の閾値を超過した時点を判定することにより、そのＩＰ音声呼を含むパケットの伝送速度を監視できる。別案として、パケット制御ユニット（ＰＣＵ）２５の伝送速度モニタ７２−２は、その呼用のバッファの使用量の変動が所定の閾値を超過した時点を判定することにより伝送速度を監視する。
【００３３】
図２Ａの実装例では、パケット制御ユニット（ＰＣＵ）２５の伝送速度モニタ７２−２によって監視されるバッファは、論理リンク制御レイヤ（ＬＬＣ）バッファであってもよく、ＩＰ音声呼は、ＥＤＧＥ  ＩＰ音声パケット・フローであってもよい。技術的によく知られているように、また、図５に図示されるように、ＬＬＣは、移動機（ＭＳ）と在圏ＧＰＲＳサポート・ノード（ＳＧＳＮ）との間のパケット・データ伝送に使用される論理リンク制御レイヤ・プロトコルを規定する。ＬＬＣは、移動機からＳＧＳＮにわたっており、確認付きおよび確認無しの両方のデータ伝送に使われることを意図するものである。別案または追加案として、伝送速度モニタによって監視されるバッファは、無線リンク制御（ＲＬＣ）バッファであってもよい。
【００３４】
図２Ｂは、図２Ａの伝送速度モニタ７２−２を有するパケット制御ユニット（ＰＣＵ）２５が、本明細書に記述される技術と協調して実行する、基本的、事例的、代表的な、限定を目的としない工程または動作を示す。図２Ｂは主に、しかし必ずしもそれだけではないが、パケット制御ユニット（ＰＣＵ）２５の伝送速度モニタ７２−２によって実行される伝送速度モニタ・ルーチンの工程例を示す。工程２−１は、伝送速度モニタ・ルーチン（または、伝送速度モニタ・ルーチンのインスタンス）が個別のＩＰ音声パケット交換呼用に呼び出されることを示す。伝送速度モニタ・ルーチン、またはそのインスタンスは、各ＩＰ音声パケット交換呼毎に個別に呼び出しまたは開始してよいことを理解されたい。伝送速度モニタ・ルーチンの呼び出しは、クロックすなわちあるタイプの時限、またはあるイベントすなわちその呼に関連する事件により引き起こされてよい。したがって、伝送速度モニタ・ルーチンの呼び出しは周期的であってもよく、その頻度は、例えば設定されてもよくまたは調節可能であってもよい。別案として、伝送速度モニタ・ルーチンの呼び出しは非周期的であってもよい。
【００３５】
呼び出されると、伝送速度モニタ・ルーチンは、工程２−２で、呼び出し元ＩＰ音声パケット交換呼用に許容範囲にある伝送速度が存在するかをチェックする。そのためバッファ・モニタ７２−２は、パケット制御ユニット（ＰＣＵ）２５における（例えば、ＬＬＣまたはＲＬＣ）バッファの満杯を、特にＩＰ音声フロー用について監視する。
【００３６】
第１の動作モードのあるサブモード例で以前に述べたように、パケット制御ユニット（ＰＣＵ）２５の伝送速度モニタ７２−２は、呼のバッファ使用量が所定の閾値を超過した時点を判定することにより、そのＩＰ音声呼を含むパケットの伝送速度を監視できる。バッファの所定の閾値の超過は伝送速度の低下を示す傾向にある。というのは、例えば、バッファが空くより早く充たされつつあるということであり、これは出口側リンクの伝送速度の低減を反映するからである。
【００３７】
別案として、第１の動作モードの別のサブモード例では、パケット制御ユニット（ＰＣＵ）２５の伝送速度モニタ７２−２が、バッファの使用量（バッファ充填量）の変動が所定の（例えば、設定された）閾値を超過した時点を判定することにより、伝送速度を監視することができる。これについては、バッファ充填度の時間推移が良好なケースを示し、したがって許容範囲にあるバッファ充填度の分布（標準偏差＝０．１）を示す図６Ａを、バッファ充填度が不良な分布（標準偏差＝１）を持ち、バッファ充填度の時間推移の不良なケースを示す図６Ｂと対比して参照されたい。同様に、図７Ａは、（監視されたバッファを通しての）パケット・スループットの時間推移の良好なケース、したがって許容範囲にあるスループットの分布（標準偏差＝０．１）を、不良なケース（標準偏差＝１）である図７Ｂと対比して示す。
２つの先述のサブモードまたはその他の同様の動作手法のいずれかで、工程２−２においてＩＰ音声呼の伝送速度が許容範囲にあると判定された場合、伝送速度モニタ・ルーチン（またはそのインスタンス）は、工程２−３で示されるように終了できる。そうでない場合は工程２−４が実行される。
【００３８】
工程２−４は、工程２−２においてＩＰ音声呼の伝送速度が許容範囲にない、例えば、伝送速度が遅く、したがって、粗悪な通話品質またはその他の低品質または問題が生ずると判定された場合に実行される。工程２−４では、伝送速度モニタ７２は、パケット制御ユニット２５が、ある回線接続タイプ（例えば、ＩＰ音声パケット・フロー）から別の回線接続タイプ（例えば、回線交換接続）への呼の変更を要求するよう、催促する。そのような要求は、例えば、移動機（ＭＳ）３０がその呼をＩＰ音声パケット・フローから回線交換接続へ変更するよう要求することで実現されてもよい。
【００３９】
工程２−４の要求に応じて、呼がＩＰ音声呼ではなく回線交換呼へ切り替えられたとして、最終的に工程２−５では、資源割当てコントローラ６０がその(今や回線交換である)呼に別の無線伝送資源を割り当てる。割り当てられた無線伝送資源は、接続コントローラ７４により回線交換接続として設定されるかまたはその他のやり方で管理される。呼の回線交換呼への割り当てまたは再配分は、当業者の理解するところであり、例えば、３ＧＰＰ  ＴＳ２３．８０６Ｖ１．７．０（２００５−１１）、サービスおよびシステム・アスペクト技術規格グループ：ＣＳとＩＭＳとの間の音声呼の継続性の研究（リリース７）の、中でも、６．３．６節によって記述されており、これは、参照により全体として本明細書に組み込まれている。
【００４０】
図３Ａに示される実装例では、通話品質モニタは、最低１個のＩＰ音声呼に配分されたバッファ中のパケットの有無および内容（正確さ、完全さ）を監視するバッファ・モニタとして構成されたフレーム・モニタ７２−３の形をとる。例えば、フレーム・モニタ７２−３は、誤り検出／訂正用のユニット／ロジックと協調して働くことができ、監視されたＩＰ音声呼用のＩＰフローについて、バッファ中の損失および損傷フレームまたはそのいずれかの数の経過を追跡する。パケット制御ユニット（ＰＣＵ）２５のフレーム・モニタ７２−３が損失および損傷フレームまたはそのいずれかの数が所定の限度を超過したと判定すると、パケット制御ユニット（ＰＣＵ）２５は、最低１つのＩＰ音声呼をパケット交換接続から回線交換接続へ変更するよう要求する。
【００４１】
図３Ａの実装例では、パケット制御ユニット（ＰＣＵ）２５のフレーム・モニタ７２−３によって監視されるバッファは、論理リンク制御レイヤ（ＬＬＣ）バッファまたは無線リンク制御（ＲＬＣ）バッファであってもよく、ＩＰ音声呼はＥＤＧＥ  ＩＰ音声パケット・フローであってもよい。
【００４２】
図３Ｂは、フレーム・モニタ７２−３を有するパケット制御ユニット（ＰＣＵ）２５が、本明細書に記述される技術と協調して実行する、基本的、事例的、代表的な、限定を目的としない工程または動作を示す。図３Ｂは、主に、しかし必ずしもそれだけではないが、パケット制御ユニット（ＰＣＵ）２５のフレーム・モニタ７２−３によって実行されるフレーム有無／品質モニタ・ルーチン（「フレーム・モニタ・ルーチン」）の工程例を示す。工程３−１は、フレーム・モニタ・ルーチン（または、フレーム・モニタ・ルーチンのインスタンス）が個別のＩＰ音声パケット交換呼用に呼び出されることを示す。フレーム・モニタ・ルーチン、またはそのインスタンスは、各ＩＰ音声パケット交換呼毎に個別に呼び出しまたは開始してよいことを理解されたい。フレーム・モニタ・ルーチンの呼び出しは、クロックすなわちあるタイプの時限、またはあるイベントすなわちその呼に関連する事件により、引き起こされてよい。したがって、フレーム・モニタ・ルーチンの呼び出しは周期的であってもよく、その頻度は、例えば、設定されてもよくまたは調節可能であってもよい。別案として、フレーム・モニタ・ルーチンの呼び出しは非周期的であってもよい。
【００４３】
呼び出されると、フレーム・モニタ・ルーチンは、工程３−２で、ＩＰ音声パケット・フローについてそれまでにわかった（それが監視するバッファに関連付けられた）、検出された損失または損傷フレームの数が所定の限度を超過しているかをチェックする。超過していない場合、フレーム・モニタ・ルーチン（またはそれのこのインスタンス）は、工程３−３で示されるように、終了してよい。そうでない場合は工程３−４が実行される。
【００４４】
工程３−４は、工程３−２において、フレーム・モニタ・ルーチン７２−３により監視されたＩＰ音声パケット・フローについてそれまでにわかった、検出された損失または損傷フレームの数が、所定の限度を超過していると判定された場合に実行される。所定の限度の超過は、粗悪な通話品質またはその他の低品質または問題の尺度であり、またはそれらを表示するものである。工程３−４では、フレーム・モニタ７２−３は、パケット制御ユニット(ＰＣＵ)２５が、ある回線接続タイプ（例えば、ＩＰ音声パケット・フロー）から別の回線接続タイプ（例えば、回線交換接続）への呼の変更を要求するよう催促する。そのような要求は、例えば、移動機（ＭＳ）３０がその呼をＩＰ音声パケット・フローから回線交換接続へ変更するよう要求することで実現されてもよい。
【００４５】
工程３−４の要求に応じて、呼がＩＰ音声呼ではなく回線交換呼へ切り替えられたとして、最終的に工程３−５では、資源割当てコントローラ６０がその(今や回線交換である)呼に別の無線伝送資源を割り当てる。割り当てられた無線伝送資源は、接続コントローラ７４により回線交換接続として設定されるかまたはその他のやり方で管理される。最低１つのＩＰ音声呼のパケット交換接続から回線交換接続への変更を要求することは、その呼に参加している移動機が、パケット交換から回線交換へのハンドオーバを実行し、それによりその呼を回線交換呼として再配属することを要求することを含んでもよい。例えば、メッセージが、パケット制御ユニット（ＰＣＵ）２５から移動機（ＭＳ）３０へ、「ＰＳ−ｔｏ−ＣＳ  ＨＯコマンド」の形で送信されてもよい。移動機（ＭＳ）３０は、ＰＳ−ｔｏ−ＣＳハンドオーバを実行し、その呼を回線交換呼として別の資源（例えば、ホッピング資源（例えば、ホッピング送受信機）または非ホッピング資源（例えば、非ホッピング送受信機））に再配属しよう。
【００４６】
図１の、限定を目的としない図示において、無線伝送資源は、送受信機により提供される周波数／周波数群上のタイムスロットの形を取り、送受信機により提供されるタイムスロットの組は資源の組と呼ばれる。しかしながら、上記の技術（例えば伝送品質または伝送速度が要求する場合の呼の回線交換呼への変更）は、無線伝送資源がタイムスロット以外の形をとるときにも実現可能であることを認識されたい。この点について、本明細書で使用される「無線伝送資源」は、タイムスロットを使用しない（例えば、ＷＣＤＭＡ、ＨＳＤＰＡ、ＷｉＭＡＸ、およびＣＤＭＡ２０００、等の）技術においては、（例えば）チャンネル、無線ベアラ、または呼に割当てられた搬送波のサブディビジョンまたはアスペクト等の別の形をとってよい。
【００４７】
本明細書に含まれる先述のまたはその他の実施形態でのパケット制御ユニット（ＰＣＵ）２５は、図１に示される基地局制御（ＢＳＣ）ノード、図１Ｂに示される無線基地局装置（ＢＴＳ）または基地局ノード、または図１Ｃに示されるＧＰＲＳサポート・ノード（ＧＳＮ）２７等の任意の適当なネットワーク・ノードに、全体としてでもまたは部分的にでも設置されてよい。ノードへの部分的な設置は、パケット制御ユニット（ＰＣＵ）２５の機能性が２つ以上のノードに分散されてよいことを意味する。
【００４８】
実装例では、ＩＰ音声パケット・フローを含む呼は、ＥＤＧＥ（Enhanced Data Rates for GSM Evolution）  ＩＰ音声フローである。本明細書で使用された場合、「ＥＤＧＥ」は、例えば、ＥＤＧＥフェーズ２としても知られるＥＤＧＥ  Ｅｖｏｌｕｔｉｏｎを含む。図５は、ＥＤＧＥシステムのプロトコル図である。ＥＧＰＲＳでは、パケット制御ユニット（ＰＣＵ）２５は、ＬＬＣフレームを移動機（ＭＳ）３０と基幹ネットワークとの間で中継する（図５のＢＳＳで「中継」と表わされる）。
【００４９】
図４は、事例としての、上述の構成が見つかりまた上述の方法が実施されてよい図解された状況を提示する電気通信システム１００を示す。図４の電気通信システム例１００は、第１の無線アクセス技術タイプを有する第１の無線アクセス・ネットワーク１１２および第２の無線アクセス技術タイプを有する第２の無線アクセス・ネットワーク１１４の両者と協調して動作する。図４に示される限定を目的としない事例では、第１の無線アクセス・ネットワーク１１２はＧＳＭ／ＥＤＧＥ無線アクセス技術（ＧＥＲＡＮ）を使用し、一方、第２の無線アクセス・ネットワーク１１４はＵＴＲＡＮ無線アクセス技術を使用する。
【００５０】
第１の無線アクセス・ネットワーク１１２および第２の無線アクセス・ネットワーク１１４の両者は、外部の基幹ネットワーク（複数も可）１１６に接続される。基幹ネットワーク１１６は、通常はビジタ・ロケーション・レジスタ（ＶＬＲ）等のレジスタと協調して動作する移動交換センタ（ＭＳＣ）１２２を特徴とする、回線交換接続用のネットワーク・サブシステム１２０を含む。ネットワーク・サブシステム１２０は、通常、（例えば）公衆交換電話ネットワーク（ＰＳＴＮ）１２４および／または総合サービス・デジタル・ネットワーク（ＩＳＤＮ）に接続される。
【００５１】
基幹ネットワーク１１６はまた、サービングＧＰＲＳサービス・ノード（ＳＧＳＮ）１２８およびゲートウェイＧＰＲＳサポート・ノード（ＧＧＳＮ）１３０を含む、ＧＰＲＳ／バックボーン１２６を含む。ＧＰＲＳ／バックボーン１２６は、ＩＰネットワーク１３２（例えば、インターネット）等のコネクションレス指向の外部ネットワークに接続される。こうして、パケット交換接続は、サービングＧＰＲＳサービス・ノード（ＳＧＳＮ）１２８との通信に関わり、また在圏ＧＰＲＳサービス・ノード（ＳＧＳＮ）１２８は、バックボーン・ネットワークおよびゲートウェイＧＰＲＳサポート・ノード（ＧＧＳＮ）１３０を通してパケット交換ネットワーク１３２（例えば、インターネット、Ｘ．２５外部ネットワーク）に接続される。
【００５２】
基幹ネットワーク１１６は、Ａインタフェースとして知られるインタフェース、Ｇｂインタフェースとして知られるインタフェース、またはオープンｌｕインタフェースのいずれか、またはこれら３つのインタフェースの任意の組合せを介して、第１の無線アクセス・ネットワーク１１２（例えば、ＧＥＲＡＮ）と接続できる。図４では、第１の無線アクセス・ネットワークは、Ａインタフェースを介しての接続のみとしている。第１の無線アクセス・ネットワーク１１２は、１つ以上の基地局コントローラ（ＢＳＣ）２６を含み、各基地局コントローラ（ＢＳＣ）２６は、１つ以上の無線基地局装置（ＢＴＳ）２８を制御する。図４に示す例では、基地局コントローラ（ＢＳＣ）２６１は、Ａｂｉｓインタフェースを通して２つの無線基地局装置、具体的には、無線基地局装置（ＢＴＳ）２８１−１および無線基地局装置（ＢＴＳ）２８１−２、に接続される。各無線基地局装置（ＢＴＳ）２８１は、図４では、３つのセルＣにサービスするように描かれている。各セルＣは、それぞれの基地局の近くの円で表現されている。以上により、当業者は、基地局が、エア・インタフェースを通して１つ以上のセルの通信にサービスすることができ、また、異なる基地局は異なる番号のセルにサービスできることを認識しよう。
【００５３】
図４はまた、基地局コントローラを１つ、具体的には、基地局コントローラ（ＢＳＣ）２６１しか図示していないが、ＧＥＲＡＮが、通常、複数個の基地局コントローラ（ＢＳＣ）２６を含むことを示す。単純化のために、基地局コントローラ（ＢＳＣ）２６２を含む基地局サブシステム（ＢＳＳ）の詳細は省略している。基地局コントローラ（ＢＳＣ）２６は、１組のセル集合中の無線資源および無線接続を制御する。各基地局（ＢＴＳ）２８は１つ以上のセル中の無線送信および受信を処理する。
【００５４】
基幹ネットワーク１１６はまた、ｌｕインタフェースとして知られるインタフェースを介して、第２の無線アクセス・ネットワーク１１４（例えば、ＵＴＲＡＮ無線アクセス・ネットワーク）に接続される。第２の無線アクセス・ネットワーク１１４は、１つ以上の無線ネットワーク・コントローラ（ＲＮＣ）２６Ｕを含む。簡単化のために、図１のＵＴＲＡＮ１１４はＲＮＣノードが１つだけ示されている。ＲＮＣノード２６Ｕは複数個の基地局２８Ｕ（例えばＢＳノード）に接続される。第２の無線アクセス・ネットワーク（ＵＴＲＡＮネットワーク）１１４では、無線ネットワーク・コントローラ（ＲＮＣ）２６Ｕは、１組のセル集合中の無線資源および無線接続を制御する。一方、基地局は１つ以上のセル中の無線送信および受信を処理する。Ａｂｉｓインタフェース、無線インタフェースＵｍ、ｌｕインタフェース、およびその他のインタフェースが図４中に点線で示される。
【００５５】
図４で説明された、特定の、限定を目的としない事例では、パケット制御ユニット（ＰＣＵ）２５は、図１Ａに本質的に描かれたやり方で基地局コントローラ（ＢＳＣ）２６に設置される。パケット制御ユニット（ＰＣＵ）２５は、例えば、図１Ｂおよび図１Ｃにより図示されたように、どこに設置されてもよいことが思い出されよう。本明細書で説明された技術によれば、基地局コントローラ（ＢＳＣ）２６の監視対象バッファ（ＬＬＣバッファまたはＲＬＣバッファ等）は、ＩＰ音声メディア・フローについて監視される。図４の例が図２Ａおよび図２Ｂの実施形態に従って動作する場合は、監視対象バッファが所定の変動または閾値パラメータを充たした時、ネットワークはＭＳにＰＳ−ｔｏ−ＣＳハンドオーバ・コマンドを信号送信し、そこで、ＭＳはＩＰ音声から従来の（そしておそらくより安全な）回線交換接続へと切り替わる。一方、図４の例が図３Ａおよび図３Ｂの実施形態に従って動作する場合は、監視対象バッファで観測された損傷または損失フレーム数が所定の数を超過する時、ネットワークはＭＳにＰＳ−ｔｏ−ＣＳハンドオーバ・コマンドを信号送信し、そこで、ＭＳはＩＰ音声から従来の（そしておそらくより安全な）回線交換接続へと切り替わる。
【００５６】
以上では、パケット制御ユニット（ＰＣＵ）２５が、ＩＰ音声フローを検出できるものとしている。ＩＰ音声フローを検出する方法は当業者の知るところであり、例えば、一組のサービス品質（ＱｏＳ）属性、例えば、ＩＰ音声データフローの設定に際して移動機が設定するＱｏＳ会話ビット等の検査による方法、または、ＩＰ音声データフロー中で構成または付加された任意のその他のタイプのＩＰ音声署名のチェックによる方法がある。さらに別の技術が、２００５年５月２５日出願の米国暫定特許出願６０／６８４．２３３、発明名称「ＢＳＳにおけるＩＰ音声フローの認証された識別（Authenticated Identification of VoIP Flow in BSS）」に開示されており、これは、参照により全体として本明細書に組み込まれている。
【００５７】
以上で説明したように、工程２−２および工程３−２は、基地局コントローラ（ＢＳＣ）２６から移動機（ＭＳ）３０への、例えば、「ＰＳ−ｔｏ−ＣＳハンドオーバ・コマンド」形式のメッセージ送信を含む。そのようなメッセージは、移動機（ＭＳ）３０に、パケット交換（ＰＳ）から回線交換（ＣＳ）への引き継ぎを行い、ＩＰ音声領域から退去して従来のＣＳ領域へ移るよう指令する。
【００５８】
特にＩＰ音声導入の初期フェーズでは、非常に多くの構成要素が新規なため、多くの問題が想定される。本明細書で提示した「安全対策」技術を使用することにより、パケット交換配信に伴うどのような問題においても、ケースを問わず、パケット制御ユニット（ＰＣＵ）２５が問題状況を検出するであろう。そのような検出は、パケット制御ユニット（ＰＣＵ）２５からの送信を待機するＬＬＣフレーム数が、移動機（ＭＳ）３０へ配信されない場合には満杯になることから、少なくとも部分的には、当然である。待機フレームが所定量に達したことをそのようにして検出すると、移動機（ＭＳ）３０は回線交換領域へハンドオーバするよう指令され、そこでは、移動機（ＭＳ）３０は、大抵、呼を継続することができる。
【００５９】
以上の技術は、これによらない場合に想定されるよりも迅速なＩＰ音声サービスの導入を、容易化するかもしれない。
【００６０】
パケット制御ユニット（ＰＣＵ）２５におけるおよびそれにより実行される（ＬＬＣまたはＲＬＣ）バッファのレベルおよび変動の検出は、以上のようにして、パケット交換配信に伴って生じ得るいかなる事態においても、移動機（ＭＳ）３０がＩＰ音声領域から退去して従来の回線交換領域に移るよう指令できるようにする。以上で議論したように、粗悪な通話品質（および粗悪な通話品質を被るＩＰ音声フローについて、パケット交換から回線交換へのハンドオーバを責任をもって起動すること）に関するもう１つの基準は、ＩＰ音声フローにおける損失または損傷フレームについての監視に関わる。
【００６１】
様々な実施形態を示して詳細に説明してきたが、特許請求の範囲はどの特定の実施形態または事例にも限定されるものではない。以上の説明のいずれについても、いずれかの特定の構成要素、工程、範囲、または機能が本質的であることを含意するものと読み取らないようにされたい。本発明は、開示された実施形態に限定されるものではなく、逆に、多様な変更や同等の構成を網羅することを意図するものと理解されたい。
【図面の簡単な説明】
【００６２】
【図１】一般的なネットワークの一部を示す簡単化された機能ブロック図であり、移動機（ＭＳ）の部分、無線基地局装置（ＢＴＳ）の部分、およびパケット制御ユニット（ＰＣＵ）の部分を含み、パケット制御ユニット（ＰＣＵ）は通話品質モニタを含む。
【図１Ａ】図１のネットワークの１つを示す簡単化された機能ブロック図であり、そこでは、パケット制御ユニット（ＰＣＵ）が基地局制御（ＢＳＣ）ノードに設置されている。
【図１Ｂ】図１のネットワークの１つを示す簡単化された機能ブロック図であり、そこでは、パケット制御ユニット（ＰＣＵ）が無線基地局装置（ＢＴＳ）に設置されている。
【図１Ｃ】図１のネットワークの１つを示す簡単化された機能ブロック図であり、そこでは、パケット制御ユニット（ＰＣＵ）がＧＰＲＳサポート・ノード（ＧＳＮ）に設置されている。
【図２Ａ】図１で示したような一般的なネットワークの簡単化された機能ブロック図であり、そこでは、パケット制御ユニット（ＰＣＵ）の通話品質モニタが伝送速度モニタである。
【図２Ｂ】第１の動作モード例において、図２Ａのパケット制御ユニット（ＰＣＵ）が実行する、基本的、事例的、代表的、かつ限定を目的としない工程または動作を示すフローチャートである。
【図３Ａ】図１で示したような一般的なネットワークの簡単化された機能ブロック図であり、そこでは、パケット制御ユニット（ＰＣＵ）の通話品質モニタがフレーム・モニタである。
【図３Ｂ】第２の動作モード例において、図３Ａのパケット制御ユニット（ＰＣＵ）が実行する、基本的、事例的、代表的、かつ限定を目的としない工程または動作を示すフローチャートである。
【図４】本発明の技術が有利に使用されてよい、通信システム例の線図である。
【図５】ＥＤＧＥ（Enhanced Data Rates for Global Evolution）システムのプロトコル図である。
【図６Ａ】、
【図６Ｂ】それぞれ、第１の動作モードに従うバッファ充填度の良い場合および悪い場合を反映するグラフである。
【図７Ａ】、
【図７Ｂ】それぞれ、第１の動作モードに従うパケット・スループットの良い場合および悪い場合を反映するグラフである。
【図１】
2008543166.tif 000003
【図１Ａ】
2008543166.tif 000004
【図１Ｂ】
2008543166.tif 000005
【図１Ｃ】
2008543166.tif 000006
【図２Ａ】
2008543166.tif 000007
【図２Ｂ】
2008543166.tif 000008
【図３Ａ】
2008543166.tif 000009
【図３Ｂ】
2008543166.tif 000010
【図４】
2008543166.tif 000011
【図５】
2008543166.tif 000012
【図６Ａ】
2008543166.tif 000013
【図６Ｂ】
2008543166.tif 000014
【図７Ａ】
2008543166.tif 000015
【図７Ｂ】
2008543166.tif 000016
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
通信ネットワークを運用する方法であって、
セル（Ｃ）の無線伝送資源を、パケット交換接続で処理されるそれぞれのＩＰ音声（ＶｏＩＰ）呼へ割当てる工程を有しており、
少なくとも１つのＩＰ音声呼について、パケット制御ユニットにおいて、少なくとも１つのＩＰ音声呼を含んだパケットバッファ（８２）の使用レベルを監視する工程と、
前記監視に応じて、前記少なくとも１つのＩＰ音声呼をパケット交換接続から回線交換接続へ変更することを選択的に要求する工程とを有することを特徴とする方法。
【請求項２】
前記使用レベルを監視する工程が、前記バッファ（８２）の使用量が所定の閾値を超過した時点を判定する工程を含むことを特徴とする請求項３に記載の方法。
【請求項３】
前記使用レベルを監視する工程が、前記バッファ（８２）の使用量の変動が所定の閾値を超過した時点を判定する工程を含むことを特徴とする請求項３に記載の方法。
【請求項４】
前記バッファ（８２）が、論理リンク制御レイヤ（ＬＬＣ）バッファであることを特徴とする請求項１に記載の方法。
【請求項５】
前記バッファ（８２）が、基地局コントローラ・ノードの無線リンク制御（ＲＬＣ）バッファであることを特徴とする請求項１に記載の方法。
【請求項６】
前記バッファ（８２）が、パケット制御ユニットのバッファであることを特徴とする請求項１に記載の方法。
【請求項７】
前記少なくとも１つのＩＰ音声呼をパケット交換接続から回線交換接続へ変更することを要求する前記工程が、前記呼に参加する移動機に、パケット交換から回線交換への引き継ぎを実行し、それにより前記呼を回線交換呼として再接続することを要求する工程を含むことを特徴とする請求項１に記載の方法。
【請求項８】
前記ＩＰ音声（ＶｏＩＰ）呼が、ＥＤＧＥ  ＩＰ音声パケット・フローであることを特徴とする請求項１に記載の方法。
【請求項９】
品質を監視する前記工程が、前記少なくとも１つのＩＰ音声呼の損失または損傷フレームの所定数を監視する工程を含むことを特徴とする請求項１に記載の方法。
【請求項１０】
電気通信ネットワークであって、
無線伝送資源を無線周波数通信のためのセル(Ｃ)に提供する無線基地局装置ノード（２８）と、
パケット交換接続で処理されるそれぞれのＩＰ音声呼に前記無線伝送資源を配分するパケット制御ユニット（２５）とを備えており、
前記パケット制御ユニット（２５）が、前記少なくとも１つのＩＰ音声呼を含むパケットバッファ（８２）の使用レベルを監視し、該監視に応じて前記少なくとも１つのＩＰ音声呼をパケット交換接続から回線交換接続へ変更するよう選択的に要求するように構成されることを特徴とする電気通信ネットワーク。
【請求項１１】
前記パケット制御ユニット（２５）が、前記バッファ（８２）の使用量が所定の閾値を超過した時点を判定するように構成されることを特徴とする請求項１０に記載の装置。
【請求項１２】
前記パケット制御ユニット（２５）が、前記バッファ（８２）の使用量の変動が所定の閾値を超過した時点を判定するように構成されることを特徴とする請求項１０に記載の装置。
【請求項１３】
前記バッファ（８２）が論理リンク制御レイヤ（ＬＬＣ）バッファであることを特徴とする請求項１０に記載の装置。
【請求項１４】
前記バッファ（８２）が無線リンク制御（ＲＬＣ）バッファであることを特徴とする請求項１０に記載の装置。
【請求項１５】
前記ＩＰ音声呼がＥＤＧＥ  ＩＰ音声パケット・フローであることを特徴とする請求項１０に記載の装置。
【請求項１６】
前記パケット制御ユニット（２５）が、少なくとも部分的には基地局コントローラ・ノードに設置されることを特徴とする請求項１０に記載の装置。
【請求項１７】
前記パケット制御ユニット（２５）が、少なくとも部分的には基地局ノードに設置されることを特徴とする請求項１０に記載の装置。
【請求項１８】
前記パケット制御ユニット（２５）が、少なくとも部分的にはＧＰＲＳサポート・ノードに設置されることを特徴とする請求項１０に記載の装置。
【国際調査報告】
2008543166.tif 000017
2008543166.tif 000018
2008543166.tif 000019
2008543166.tif 000020